(57)【要約】      （修正有）【課題】柔らかい素材にすることにより強い力を加えずとも充分なマッサージ効果を得られ、簡単な構造であるとともに軽量で持ち運びや携帯に便利なマッサージ具を提供する。【解決手段】縫着又は接着した２枚の柔軟素材と、前記２枚の柔軟素材の間に縫着又は接着した複数の球体とからなることを特徴とする。また、前記複数の球体が、前記２枚の柔軟素材の間に縦方向及び横方向に等間隔に縫着又は接着されたことを特徴とする。さらに、縫着又は接着した２枚の柔軟素材と、前記２枚の柔軟素材の間に縫着又は接着した１の球体及び前記球体を取り囲むように等間隔に縫着又は接着した４個の球体よりなる球体ユニットとからなることを特徴とする。【選択図】図３
0003148853.tif 000002
【実用新案登録請求の範囲】
【請求項１】
縫着又は接着した２枚の柔軟素材と、前記２枚の柔軟素材の間に縫着又は接着した複数の球体とからなることを特徴とするマッサージ具。
【請求項２】
前記複数の球体が、前記２枚の柔軟素材の間に縦方向及び横方向に等間隔に縫着又は接着されたことを特徴とする請求項１に記載のマッサージ具。
【請求項３】
縫着又は接着した２枚の柔軟素材と、前記２枚の柔軟素材の間に縫着又は接着した１の球体及び前記球体を取り囲むように等間隔に縫着又は接着した４個の球体よりなる球体ユニットとからなることを特徴とするマッサージ具。
【請求項４】
前記２枚の柔軟素材を手袋形状としたことを特徴とする請求項１〜請求項３の何れか１項に記載のマッサージ具。
【請求項５】
前記複数の球体が、手の平の位置に配置されていることを特徴とする請求項４に記載のマッサージ具。
【請求項６】
前記柔軟素材の一方を手袋形状とし、他方を手の平に貼付し、それら間に前記複数の球体を配置したことを特徴とする請求項１〜請求項３の何れか１項に記載のマッサージ具。
【請求項７】
前記２枚の柔軟素材を履き物形状とし、前記複数の球体を足裏に当たる位置に配置したことを特徴とする請求項１〜請求項３の何れか１項に記載のマッサージ具。
【請求項８】
前記柔軟素材の一方を履き物形状とし、他方を履き物形状の前記柔軟素材内部底に貼付し、それら間に前記複数の球体を配置したことを特徴とする請求項１〜請求項３の何れか１項に記載のマッサージ具。
【請求項９】
前記マッサージ具を、靴の中敷きとしたことを特徴とする請求項１〜請求項３の何れか１項に記載のマッサージ具。
【請求項１０】
前記マッサージ具を、衣服の背中面に取り付けたことを特徴とする請求項１〜請求項３の何れか１項に記載のマッサージ具。
【請求項１１】
前記マッサージ具を、椅子の背もたれに取り付けたことを特徴とする請求項１〜請求項３の何れか１項に記載のマッサージ具。
【請求項１２】
前記球体に代え、半球体又は円柱形の指圧体としたことを特徴とする請求項１〜１１の何れか１項に記載のマッサージ具。
【請求項１３】
前記マッサージ具の内、手袋形状のマッサージ具において、半球体の球状部が手の平方向に位置したことを特徴とする請求項１２に記載のマッサージ具。
【請求項１４】
前記マッサージ具の内、手袋形状のマッサージ具において、半球体の平坦面が手の平方向に位置したことを特徴とする請求項１２に記載のマッサージ具。
【考案の詳細な説明】
【技術分野】
【０００１】
本本考は、手のツボ、足裏のツボ等に接触させ刺激することにより疲れを取り除くマッサージ具に関する本考である。
【背景技術】
【０００２】
従来のマッサージ具は、手の平や足裏のツボを刺激する指圧という目的から硬い素材でできているマッサージ具が多く、強い力を加えてマッサージをすると手の平や足裏に痛みが生じるとともに、長時間使用し続けると手の平や足裏に傷ができてしまうとの欠点があった。
【０００３】
痛みが生じるのみで充分なマッサージ効果が得られないものが多かった。また硬いものや重いものである場合、持ち運びや携帯には不向きであった。更に、極めて複雑な構造であるために製造コストが掛かり過ぎるとの問題があった。
【特許文献１】特開２００１−０５４４０４号公報
【考案の開示】
【考案が解決しようとする課題】
【０００４】
そこで、本本考は、柔らかい素材にすることにより強い力を加えずとも充分なマッサージ効果を得られ、簡単な構造であるとともに軽量で持ち運びや携帯に便利なマッサージ具を提供することを目的とするものである。
【課題を解決するための手段】
【０００５】
本本考は、上記の課題を解決するために、縫着又は接着した２枚の柔軟素材と、前記２枚の柔軟素材の間に縫着又は接着した複数の球体とからなることを特徴とするマッサージ具の構成、前記複数の球体が、前記２枚の柔軟素材の間に縦方向及び横方向に等間隔に縫着又は接着されたことを特徴とする前記マッサージ具の構成とした。また、縫着又は接着した２枚の柔軟素材と、前記２枚の柔軟素材の間に縫着又は接着した１の球体及び前記球体を取り囲むように等間隔に縫着又は接着した４個の球体よりなる球体ユニットとからなることを特徴とするマッサージ具の構成とした。
【０００６】
さらに、前記２枚の柔軟素材を手袋形状としたことを特徴とする前記何れかに記載のマッサージ具の構成、前記複数の球体が、手の平の位置に配置されていることを特徴とする前記マッサージ具の構成とした。
【０００７】
或いは、前記柔軟素材の一方を手袋形状とし、他方を手の平に貼付し、それら間に前記複数の球体を配置したことを特徴とする前記何れかに記載のマッサージ具の構成、前記２枚の柔軟素材を履き物形状とし、前記複数の球体を足裏に当たる位置に配置したことを特徴とする前記何れかに記載のマッサージ具の構成とした。
【０００８】
又は、前記柔軟素材の一方を履き物形状とし、他方を履き物形状の前記柔軟素材内部底に貼付し、それら間に前記複数の球体を配置したことを特徴とする前記何れかに記載のマッサージ具の構成とした。
【０００９】
加えて、前記マッサージ具を、靴の中敷きとしたことを特徴とする前記何れかに記載のマッサージ具の構成、また衣服の背中面に取り付けたことを特徴とする前記何れかに記載のマッサージ具の構成、また椅子の背もたれに取り付けたことを特徴とする前記何れかに記載のマッサージ具の構成とした。
【００１０】
また、前記球体に代え、半球体又は円柱形の指圧体としたことを特徴とする前記何れかに記載のマッサージ具の構成、また前記マッサージ具の内、手袋形状のマッサージ具において、半球体の球状部が手の平方向に位置したことを特徴とする前記のマッサージ具の構成、或いは、前記マッサージ具の内、手袋形状のマッサージ具において、半球体の平坦面が手の平方向に位置したことを特徴とする前記マッサージ具の構成とした。
【考案の効果】
【００１１】
本本考のマッサージ具は、大部分が布等の素材で形成されるため、柔らかく軽量で持ち運びや携帯に便利である。また柔らかいため強い力をかけなくとも充分なマッサージ効果を得ることができる。更に、簡単な構造であるから製造コストが極めて低廉である。
【考案を実施するための最良の形態】
【００１２】
軽量で持ち運びや携帯に便利で強い力をかけなくとも充分なマッサージ効果を得ることができるマッサージ具という目的を、やや大きめの球体を軟性の素材により包み込むことにより実現した。
【実施例１】
【００１３】
以下に、添附図面に基づき、本本考であるマッサージ具１について詳細に説明する。図１は、本本考であるマッサージ具の正面図である。図１に示すように、マッサージ具１は軟性素材である布素材２とその布素材２により包み込まれた球体４とからなる。
【００１４】
図２は本本考であるマッサージ具の側面図、図３はマッサージ具のＡ−Ａ断面図である。図２及び図３に示すように、縫着、接着等された２枚の布素材２の間に直径１．０ｃｍ〜３．０ｃｍの球体４を等間隔又は１個の球体４ａを等間隔で４個の球体４ｂ、４ｂ、４ｂ、４ｂを取り囲むように配置することにより、表面及び裏面に指圧用凸部３が等間隔又は１個の指圧用凸部３ａを取り囲むように４個の指圧用凸部３ｂ、３ｂ、３ｂ、３ｂが形成される。
【００１５】
図４は、本本考であるマッサージ具の使用方法を示した図である。図４に示すように、マッサージ具１を手５で握ることにより、複数の指圧用凸部３が手の平のツボを刺激する。指圧用凸部３は、内部に設置されている球体４の大きさにあわせて直径１．０ｃｍ〜３．０ｃｍと大きめなので、よりツボを的確にとらえやすい。また、布素材２により覆われているので、長時間使用しても手の平、足裏に痛みが発生することがないとともに、傷ができることも無くなる。
【００１６】
柔軟性に富んだ布素材２を使用することにより、マッサージ具１は手の中で様々に形を変え、強い力でなくても充分にマッサージ効果を得ることができる。柔らかく軽量なので次々と自分の好きな場所に指圧用凸部３を当ててマッサージを行うのも容易である。
【００１７】
また、球体４を軽量の素材にすることにより、さらなる軽量化を図ることができる。軽量でしかも柔軟性に富んでいるので、小さな鞄等での持ち運びや携帯にも大変便利である。
【実施例２】
【００１８】
図５は、本本考であるマッサージ具の第２実施例の正面図である。本例のマッサージ具１ａは、図５に示すように、布素材２の大きさや形、指圧用凸部３の数や配置等を変えることにより、様々なバリエーションのマッサージ具１ａを製作することが可能である。
【００１９】
本例のマッサージ具１ａでは、縦方向及び横方向に等間隔にしかも一直線上に表布素材２と裏布素材２ａ間に配置することにより、大きい形状のマッサージ具１ａとしたものである。このように、長方形状にすることにより敷布としても利用することもできる。
【実施例３】
【００２０】
図６は、本本考であるマッサージ具の第３実施例正面図である。図６に示すように、布素材２の大きさや形、指圧用凸部３の数や配置の位置等を変えることにより、様々なバリエーションのマッサージ具１ｂを製作することが可能である。
【００２１】
本例のマッサージ具１ｂでは、表布素材２と裏布素材２ａ間に球体４の配置位置を変えたマッサージ具である。即ち、中心に１個の球体４ａ（３ａ）を配置し、球体４ａ（３ａ）から等距離の位置に別の球体４ｂ（指圧用凸部３ｂ）、４ｂ（指圧用凸部３ｂ）、４ｂ（指圧用凸部３ｂ）、４ｂ（指圧用凸部３ｂ）が取り囲むように配置した例のマッサージ具である。
【実施例４】
【００２２】
図７は、本本考であるマッサージ具の第４実施例の正面図である。図７に示すように、布素材２の大きさ、形及び指圧用凸部３の数や配置等を変えることにより、様々なバリエーションのマッサージ具１ｃを製作することが可能である。
【００２３】
本例のマッサージ具１ｃは、実施例３の構成を繰り返し連続させた構造である。即ち、
中心に１個の球体４ａ（３ａ）を配置し、球体４ａ（３ａ）から等距離の位置に別の球体４ｂ（指圧用凸部３ｂ）、４ｂ（指圧用凸部３ｂ）、４ｂ（指圧用凸部３ｂ）、４ｂ（指圧用凸部３ｂ）が取り囲むように配置し、しかも連続させて長方形状としたマッサージ具である。
【実施例５】
【００２４】
図８は本本考であるマッサージ具の第５実施例正面図、図９はマッサージ具第５実施例Ｂ−Ｂ断面図である。
【００２５】
図８及び図９に示すように、本例のマッサージ具１ｄは、布素材２を手袋（ミトン）の形状にし、手の平に当たる箇所に球体４、４、４・・・を配置することにより、マッサージ具１ｄを装着し手を握る動作をするだけで、手の平部分の内側に形成された複数の指圧用凸部３が手の平に存在するツボを刺激することができる。尚、手袋はミトンに限定したものではなく、５本指の手袋等でも良いものとする。
【実施例６】
【００２６】
図１０は、本本考であるマッサージ具の第６実施例斜視図である。図１０に示すように、布素材２を靴、スリッパ、サンダル等の形状に形成して、靴、スリッパ、サンダル等底に取り付けることにより、足の裏に当たる部分の内側に形成された複数の指圧用凸部３が足の裏のツボを刺激し、履くだけでマッサージ効果が得られるマッサージ具１ｅとなる。
【実施例７】
【００２７】
図１１は本本考であるマッサージ具の第７実施例の側面図、図１２はマッサージ具の第７実施例の断面図である。図１１及び図１２に示すように、本本考であるマッサージ具１ｆは実施例１で示したマッサージ具１とほぼ同じ形状をしている。
【００２８】
即ち、表布素材２と裏布素材２ａに配置される指圧体の形状が半球体４ｃとなったことで、マッサージ具１ｆは片面には指圧用凸部３ｃが形成され、反対面の裏布素材２ａ側は平坦となっている。
【実施例８】
【００２９】
図１３は本本考であるマッサージ具の第８実施例の全体図、図１４はマッサージ具の第８実施例のＤ−Ｄ断面図である。
【００３０】
図１３及び図１４に示すように、本例のマッサージ具１ｇは、布素材２及び裏布素材２ａを手袋の形状にし、手の平側に半球体４ｃ、４ｃ、４ｃ・・・を配置することにより、マッサージ具１ｇを装着し手を握る動作をするだけで、手の平部分に形成された複数の指圧用凸部３ｄが手の平に存在するツボを刺激することができる。
【００３１】
手の平側に配置する半球体４ｃ、４ｃ、４ｃ・・・は手袋の内側ではなく表面側に指圧用凸部３ｄが突出するように配置されており、手袋の内面は凹凸がなく平坦となっている。尚、図面上では手袋の形状をミトンとしたが、５本指用の手袋でもよいものとする。
【実施例９】
【００３２】
図１５は本本考であるマッサージ具の第９実施例の全体図、図１６は本本考であるマッサージ具の第９実施例のＥ−Ｅ断面図である。
【００３３】
図１５及び図１６に示すように、本本考であるマッサージ具１ｈは実施例８で示したマッサージ具１ｇとほぼ同じ形状をしている。即ち、手袋の形状をした表布素材２と裏布素材２ａの手の平側に配置される指圧体の形状が球体４となっている。
【００３４】
手の平側に配置される指圧体が球体４であるため、手袋の手の平側の表裏面に指圧用凸部３ｅ、３ｅ、３ｅ・・・が形成される。手袋を装着し手を握る動作をするだけで、手の平の表裏面に突出した複数の指圧用凸部３ｅ、３ｅ、３ｅ・・・が手の平に存在するツボを刺激する。尚、図面上では手袋の形状をミトンとしたが、５本指用の手袋でもよいものとする。
【実施例１０】
【００３５】
図１７は本本考であるマッサージ具の第１０実施例の全体図、図１８はマッサージ具の第１０実施例のＦ−Ｆ断面図である。
【００３６】
図１７及び図１８に示すように、本本考であるマッサージ具１ｉは、手袋の手の平面に貼付素材２ｂを貼付け、表布素材２と貼付素材２ｂの間に複数の半球体４ｃ、４ｃ、４ｃ・・・を配置したものである。
【００３７】
図１８に示すように、表布素材２と貼付素材２ｂの間に配置された半球体４ｃは外面に突出するように配置されており、マッサージ具１ｉを装着して手を握るだけで半球体４ｃが手の平のツボを刺激する。尚、図面上では手袋の形状をミトンとしたが、５本指用の手袋でもよいものとする。
【実施例１１】
【００３８】
図１９は本本考であるマッサージ具の第１１実施例の断面図である。本本考であるマッサージ具１ｊは、複数の球体４、４、４・・・を中間に配置して貼り合わせた表布素材２と裏布素材２ａを履き物６の中敷きとしており、表裏布素材２、２ａの上下面に突出した指圧用凸部３ｇ、３ｇ、３ｇ・・・が足裏のツボを刺激する。
【実施例１２】
【００３９】
図２０は本本考であるマッサージ具の第１２実施例の断面図である。図２０に示すように本本考であるマッサージ具１ｋは、前記マッサージ具１ｊとほぼ同じ構造をしている。
【００４０】
即ち、複数の半球体４ｃ、４ｃ、４ｃ・・・を中間に配置して貼り合わせた表布素材２と裏布素材２ａを履き物６の中敷きとしており、表布素材２の上面に突出した指圧用凸部３ｈ、３ｈ、３ｈ・・・が足裏のツボを刺激する。
【実施例１３】
【００４１】
図２１は本本考であるマッサージ具の第１３実施例の断面図である。図２１に示すように本本考であるマッサージ具１ｌは、前記マッサージ具１ｊ、１ｋとほぼ同じ構造をしている。
【００４２】
即ち、履き物６の靴底と表布素材２の間に複数の半球体４ｃ、４ｃ、４ｃ・・・を配置し、表布素材２の上面側に複数の指圧用凸部３ｉ、３ｉ、３ｉ・・・が突出している。この指圧用凸部３ｉ、３ｉ、３ｉ・・・が足裏のツボを刺激する。
【実施例１４】
【００４３】
図２２は本本考であるマッサージ具の第１４実施例の断面図である。図２２に示すように本本考であるマッサージ具１ｍは、前記マッサージ具１ｊ、１ｋ、１ｌとほぼ同じ構造をしている。
【００４４】
即ち、履き物６ａの靴底と表布素材２の間に複数の球体４、４、４・・・を配置し、表布素材４の上面側と履き物６ａの底面側に複数の指圧用凸部３ｊ、３ｊ、３ｊ・・・が突出している。この指圧用凸部３ｊ、３ｊ、３ｊ・・・が足裏のツボを刺激する。
【実施例１５】
【００４５】
図２３は本本考であるマッサージ具の第１５実施例の全体図である。図２３に示すように、本本考であるマッサージ具１ｎは、衣服７の背中面に複数の半球体４ｃ、４ｃ、４ｃ・・・を配置した貼付素材２ｃを取り付けたものである。
【００４６】
貼付素材２ｃと衣服の背面の間に配置される半球体４ｃ、４ｃ、４ｃ・・・は衣服内面側に向かって突出するように取り付けられて指圧用凸部３ｋ、３ｋ、３ｋ・・・を形成している。この指圧用凸部３ｋ、３ｋ、３ｋ・・・が背中のツボを刺激する。
【実施例１６】
【００４７】
図２４は本本考であるマッサージ具の第１６実施例の全体図である。図２４に示すように、本本考であるマッサージ具１ｏは、椅子８の背もたれに複数の半球体４ｃ、４ｃ、４ｃ・・・を配置した貼付素材２ｄを取り付けたものである。
【００４８】
貼付素材２ｄに配置された半球体４ｃ、４ｃ、４ｃ・・・は表面側に突出するように取り付けられて指圧用凸部３ｌ、３ｌ、３ｌ・・・を形成している。椅子８に腰掛けた際にこの指圧用凸部３ｌ、３ｌ、３ｌ・・・が背中のツボを刺激する。尚、この椅子８の大きさや背もたれの大きさ等は特に一人用に限定してはおらず、長椅子などでもよいものとする。
【実施例１７】
【００４９】
図２５は本本考であるマッサージ具で使用する指圧体の斜視図である。図２５に示すように、指圧体４ｄは横向きの円柱状をしており、前記マッサージ具１〜１ｏで使用されている球体４、４ａ、４ｂ及び半球体４ｃに代わって配置される指圧体である。
【実施例１８】
【００５０】
図２６は本本考であるマッサージ具で使用する指圧体の斜視図である。図２６に示すように、指圧体４ｅは縦向きの円柱状をしており、前記マッサージ具１〜１ｏで使用されている球体４、４ａ、４ｂ及び半球体４ｃに代わって配置される指圧体である。
【００５１】
前述のように、指圧素材の形状が球体４、４ａ、４ｂ及び半球体４ｃから指圧体４ｄ、４ｅに代わることで、指圧具合が変わる。
【図面の簡単な説明】
【００５２】
【図１】本本考であるマッサージ具の正面図である。
【図２】本本考であるマッサージ具の側面図である。
【図３】本本考であるマッサージ具のＡ−Ａ断面図である。
【図４】本本考であるマッサージ具の使用方法を示した図である。
【図５】本本考であるマッサージ具の第２実施例の正面図である。
【図６】本本考であるマッサージ具の第３実施例の正面図である。
【図７】本本考であるマッサージ具の第４実施例の正面図である。
【図８】本本考であるマッサージ具の第５実施例の正面図である。
【図９】本本考であるマッサージ具の第５実施例のＢ−Ｂ断面図である。
【図１０】本本考であるマッサージ具の第６実施例の斜視図である。
【図１１】本本考であるマッサージ具の第７実施例の側面図である。
【図１２】本本考であるマッサージ具の第７実施例の断面図である。
【図１３】本本考であるマッサージ具の第８実施例の全体図である。
【図１４】本本考であるマッサージ具の第８実施例のＤ−Ｄ断面図である。
【図１５】本本考であるマッサージ具の第９実施例の全体図である。
【図１６】本本考であるマッサージ具の第９実施例のＥ−Ｅ断面図である。
【図１７】本本考であるマッサージ具の第１０実施例の全体図である。
【図１８】本本考であるマッサージ具の第１０実施例のＦ−Ｆ断面図である。
【図１９】本本考であるマッサージ具の第１１実施例の断面図である。
【図２０】本本考であるマッサージ具の第１２実施例の断面図である。
【図２１】本本考であるマッサージ具の第１３実施例の断面図である。
【図２２】本本考であるマッサージ具の第１４実施例の断面図である。
【図２３】本本考であるマッサージ具の第１５実施例の全体図である。
【図２４】本本考であるマッサージ具の第１６実施例の全体図である。
【図２５】本本考であるマッサージ具で使用する指圧体の斜視図である。
【図２６】本本考であるマッサージ具で使用する指圧体の斜視図である。
【符号の説明】
【００５３】
１        マッサージ具
１ａ      マッサージ具
１ｂ      マッサージ具
１ｃ      マッサージ具
１ｄ      マッサージ具
１ｅ      マッサージ具
１ｆ      マッサージ具
１ｇ      マッサージ具
１ｈ      マッサージ具
１ｉ      マッサージ具
１ｊ      マッサージ具
１ｋ      マッサージ具
１ｌ      マッサージ具
１ｍ      マッサージ具
１ｎ      マッサージ具
１ｏ      マッサージ具
２        表布素材
２ａ      裏布素材
２ｂ      貼付素材
２ｃ      貼付素材
２ｄ      貼付素材
３〜３ｂ  指圧用凸部
３ｃ      指圧用凸部
３ｄ      指圧用凸部
３ｅ      指圧用凸部
３ｆ      指圧用凸部
３ｇ      指圧用凸部
３ｈ      指圧用凸部
３ｉ      指圧用凸部
３ｊ      指圧用凸部
３ｋ      指圧用凸部
３ｌ      指圧用凸部
４〜４ｂ  球体
４ｃ      半球体
４ｄ      指圧体
４ｅ      指圧体
５        手
６        履き物
７        衣服
８        椅子
【図１】
0003148853.tif 000003
【図２】
0003148853.tif 000004
【図３】
0003148853.tif 000005
【図４】
0003148853.tif 000006
【図５】
0003148853.tif 000007
【図６】
0003148853.tif 000008
【図７】
0003148853.tif 000009
【図８】
0003148853.tif 000010
【図９】
0003148853.tif 000011
【図１０】
0003148853.tif 000012
【図１１】
0003148853.tif 000013
【図１２】
0003148853.tif 000014
【図１３】
0003148853.tif 000015
【図１４】
0003148853.tif 000016
【図１５】
0003148853.tif 000017
【図１６】
0003148853.tif 000018
【図１７】
0003148853.tif 000019
【図１８】
0003148853.tif 000020
【図１９】
0003148853.tif 000021
【図２０】
0003148853.tif 000022
【図２１】
0003148853.tif 000023
【図２２】
0003148853.tif 000024
【図２３】
0003148853.tif 000025
【図２４】
0003148853.tif 000026
【図２５】
0003148853.tif 000027
【図２６】
0003148853.tif 000028